(57)【要約】      （修正有）【課題】操作性をより向上させたニッパー係止具構造を提供する。【解決手段】ニッパー係止具構造については、一対のニッパーの柄の間に滑動係止部材３が装設され、滑動係止部材は一対のニッパーの柄の開閉動作の制限或いは開放を行って、安全な防護を達成させる。滑動係止部材３の内面は中空形態になると共に固定台１１に設置され、滑動係止部材３は両内側面にガイドレール１２に設置されるガイド棒が各々形成される。滑動係止部材３の外辺面は滑動後の係合装置２１の制限或いは開放を行う位置決め板３２であり、且つ位置決め板３２の内面には滑動を受けて上端嵌め込み溝１３或いは下端嵌め込み溝１４に選択的に係止される弾性係止部材が形成される。弾性係止部材が上端嵌め込み溝１３に係止されると、位置決め板３２は係合装置２１を制限させ、弾性係止部材が下端嵌め込み溝１４に係止されると、位置決め板３２は係合装置２１を開放させる。【選択図】図１
0003196259.tif 000002
【実用新案登録請求の範囲】
【請求項１】
第一アーム部、第二アーム部、及び滑動係止部材を備えるニッパー係止具構造であって、
ここでは、前記第一アーム部及び第二アーム部は相互に交差して枢設され、把持端及び稼働端が形成され、前記第一アーム部は把持端の内面の枢設部位付近に固定台が形成され、前記固定台の両側面にはガイドレールが各々形成され、且つ前記固定台は外辺面に上端嵌め込み溝及び下端嵌め込み溝が形成され、前記第二アーム部は把持端の内面の枢設部位付近に係合装置が形成され、
前記滑動係止部材の内面が中空形態になると共に固定台に設置され、前記滑動係止部材の両内側面には、ガイドレールに設置されるガイド棒が各々形成され、前記滑動係止部材の外辺面は滑動後の係合装置を制限または開放する位置決め板であり、且つ前記位置決め板の内面には滑動を受けて上端嵌め込み溝或いは下端嵌め込み溝に選択的に係止される弾性係止部材が形成され、弾性係止部材が上端嵌め込み溝に係止されると、位置決め板は係合装置を制限し、弾性係止部材が下端嵌め込み溝に係止されると、位置決め板は係合装置を開放することを特徴とするニッパー係止具構造。
【請求項２】
前記係合装置の底面の片面には案内傾斜面が形成され、前記位置決め板の上面の片面には案内傾斜面に対応すると共にそれに押されると滑動係止部材を連動させて下に向けて滑動させる弧状ガイド面が形成されることを特徴とする、請求項１記載のニッパー係止具構造。
【請求項３】
前記滑動係止部材の両側面には凸部が各々形成されることを特徴とする、請求項２記載のニッパー係止具構造。
【考案の詳細な説明】
【技術分野】
【０００１】
本考案は、一対のニッパーの柄の間に滑動係止部材が装設され、前記滑動係止部材により一対のニッパーの柄の開閉動作を制限或いは開放して、安全な防護を達成するニッパー係止具構造に関する。
【背景技術】
【０００２】
物を剪断したり挟んだりする一般的なニッパーの構成は、主に把持される一対の柄が交錯するように枢設されて構成される。前記一対の柄は交錯する転心の他端に相対的に挟み合う挟持顎段が形成される。従来のニッパーは動作中に、同じ手の親指及び親指の付け根で何れか１つの柄を挟持し、他の指でもう一方の柄を挟持し、親指と他の指で握り締めたり開いたりすることで操作を行う。然しながら、ニッパーを操作して挟持した後、使用者は一対の柄に反対方向に力を掛けて開いて次の操作を行うため、この開き動作で力を掛けなければならない方向には指で力を入れにくく、操作が不便になる。小型の小さな力で操作するニッパーでは操作が特に困難であり、このため現在のニッパーの一対の柄の間には弾性部材が設置され、一対の柄が挟持した際に外へ開くための回復力を発生させる。使用者が一対の柄を操作して開く必要がなく、操作性を高める目的を達成させる。
【０００３】
従来のニッパーはその稼働端が常に開いた状態になって使用者を傷付けないようにするため、ニッパーの柄の後端には一般的に収納部材が設置され、ニッパーを使用しない時に固定して収納し、防護の効果を達成させる。
【考案の概要】
【考案が解決しようとする課題】
【０００４】
しかしながら、従来のニッパーの収納部材は一般的にニッパーの柄の後端に設置されるように設計され、使用者が操作時に一方の手で収納部材の開放及び収納の切り換えを行うが、高所で懸架して作業する作業員にとっては非常に不便であった。
【０００５】
そこで、本考案者は上記の欠点が改善可能と考え、現在のニッパーの収納部材が抱える問題を深く検討し解決方法を追及し、鋭意検討を重ねた結果、合理的設計で上記の課題を効果的に改善する本考案の提案に到った。すなわち、一対のニッパーの柄の間に滑動係止部材を装設させ、前記滑動係止部材により一対のニッパーの柄の開閉動作の制限或いは開放を行い、安全な防護を達成させる。また、滑動係止部材は操作者がニッパーを握った際に親指の箇所に位置され、親指で高速に引いてニッパーの使用状態を制限或いは解除する。
【０００６】
また、本考案は、このような従来の問題に鑑みてなされたものである。上記課題解決のため、本考案は、ニッパー係止具構造を提供することを主目的とする。換言すれば、一対のニッパーの柄の間に滑動係止部材が装設され、前記滑動係止部材により一対のニッパーの柄の開閉動作の制限或いは開放を行い、安全な防護を達成させる。
【課題を解決するための手段】
【０００７】
上述した課題を解決し、目的を達成するために、本考案に係るニッパー係止具構造は、第一アーム部、第二アーム部、及び滑動係止部材を備え、前記第一アーム部及び第二アーム部は相互に交差して枢設され、把持端及び稼働端が形成され、前記第一アーム部は把持端の内面の枢設部位付近に固定台が形成され、前記固定台の両側面にはガイドレールが各々形成され、且つ前記固定台は外辺面に上端嵌め込み溝及び下端嵌め込み溝が形成され、前記第二アーム部は把持端の内面の枢設部位付近に係合装置が形成される。前記滑動係止部材の内面が中空形態になると共に固定台に設置され、前記滑動係止部材の両内側面にはガイドレールに設置されるガイド棒が各々形成され、前記滑動係止部材の外辺面は滑動後の係合装置を制限させるか開放させる位置決め板であり、且つ前記位置決め板の内面には滑動を受けて上端嵌め込み溝或いは下端嵌め込み溝に選択的に係止される弾性係止部材が形成され、弾性係止部材が上端嵌め込み溝に係止されると、位置決め板は係合装置を制限させ、弾性係止部材が下端嵌め込み溝に係止されると、位置決め板は係合装置を開放することを特徴とする。
【０００８】
これにより、滑動係止部材が滑動することで、位置決め板と係合装置との対応する設置により、第一アーム部及び第二アーム部の開閉の解除或いは制限を行い、収納時に稼働端が挟持状態を呈することで安全な防護の効果を達成させる。また、前記滑動係止部材は把持端の一対のニッパーの柄の枢設位置付近に設置され、人がニッパーを握る際の親指の位置に対応し、使用者が親指で滑動係止部材を押してニッパーの使用状態の解除或いは制限を快適に行うことができる。
【０００９】
好ましくは、前述の係合装置の底面の片面には案内傾斜面が形成され、前記位置決め板の上面の片面には案内傾斜面に対応すると共にそれに押されると滑動係止部材を連動して下に向かって滑動させる弧状ガイド面が形成される。
【００１０】
好ましくは、前述の滑動係止部材の両側面には凸部が各々形成される。
【考案の効果】
【００１１】
前述の考案内容から分かるように、本考案の「ニッパー係止具構造」は滑動係止部材を有し、滑動方式により第一アーム部及び第二アーム部の開閉の解除或いは制限を行い、収納時に稼働端は挟持状態を呈するため安全な防護の効果を達成させる。また、前記滑動係止部材は把持端の一対のニッパーの柄の枢設位置付近に設置され、人がニッパーを握る際の親指の位置に対応し、使用者が親指で滑動係止部材を押してニッパーの使用状態の解除或いは制限を快適に行える。従来のニッパーでは収納部材が通常では柄の後端に設置される場合に比べ、本考案ではより快適な操作が行えるという長所を有する。このため、本考案は相当な実用性及び革新性を有する考案と言え、産業界が推進し大衆に広める価値がある。
【図面の簡単な説明】
【００１２】
【図１】本考案の第１実施形態によるニッパー係止具構造を示す展開図である。
【図２】本考案の滑動係止部材の一部を示す断面模式図である。
【図３】本考案の第１実施形態によるニッパー係止具構造を示す外観斜視図である。
【図４】本考案の滑動係止部材及び係合装置が係合となる状態の断面模式図である。
【図５】本考案の滑動係止部材及び係合装置が開放となる状態の断面模式図である。
【図６】本考案の案内傾斜面及び弧状ガイド面により対応に当接され、滑動係止部材が自動的に後退される断面模式図である。
【図７】本考案の案内傾斜面及び弧状ガイド面により対応に当接され、滑動係止部材が自動的に後退される断面模式図である。
【考案を実施するための形態】
【００１３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１４】
＜第１実施形態＞
以下、本考案の具体的な実施形態について添付図面に基づき説明する。本考案のニッパー係止具構造は、一対のニッパーの柄の間に滑動係止部材が装設され、前記滑動係止部材により一対のニッパーの柄の開閉動作の制限或いは開放を行い、安全な防護を達成させる。図１乃至図７に示すように、前述の考案の目的を達成させるため、本考案に係る「ニッパー係止具構造」は第一アーム部１、第二アーム部２、及び滑動係止部材３を備える。
【００１５】
また、前記第一アーム部１及び第二アーム部２は相互に交差して枢設されると共に把持端４及び稼働端５が形成され(本考案の実施形態による稼働端５はニッパーを例にするが、ペンチ等に応用されてもよい)、前記第一アーム部１は把持端４の内面の枢設部位付近に固定台１１が形成され、前記固定台１１の両側面にはガイドレール１２が各々形成され、且つ前記固定台１１は外辺面に上端嵌め込み溝１３及び下端嵌め込み溝１４が形成され、前記第二アーム部２は把持端４の内面の枢設部位付近に係合装置２１が形成される。
【００１６】
前記滑動係止部材３の内面は中空形態になると共に固定台１１に設置され、前記滑動係止部材３は両内側面にガイドレール１２に設置されるガイド棒３１が各々形成される。前記滑動係止部材３の外辺面は滑動後の係合装置２１の制限或いは開放を行う位置決め板３２であり、且つ前記位置決め板３２の内面には滑動を受けて上端嵌め込み溝１３或いは下端嵌め込み溝１４に選択的に係止される弾性係止部材３３が形成される。弾性係止部材３３が上端嵌め込み溝１３に係止されると、位置決め板３２は係合装置２１を制限させ、弾性係止部材３３が下端嵌め込み溝１４に係止されると、位置決め板３２は係合装置２１を開放させる。
【００１７】
こうすれば、滑動係止部材３の滑動、位置決め板３２及び係合装置２１の対応設置により、第一アーム部１及び第二アーム部２の開閉の解除或いは制限を行い、収納時に稼働端５を挟持状態にして安全な防護の効果を達成させる。また、前記滑動係止部材３は把持端４の一対のニッパーの柄の枢設位置付近に設置され、人がニッパーを握る際の親指位置に対応し、使用者は親指で滑動係止部材３を押してニッパーの使用状態の解除或いは制限を快適に行える。
【００１８】
さらに、前記係合装置２１の底面の片面には案内傾斜面２１１が形成され、前記位置決め板３２の上面の片面には案内傾斜面３２１に対応すると共にそれに押されると滑動係止部材３を連動させて下に向けて滑動させる弧状ガイド面３２１が形成される。これにより、ニッパーは作業中に滑動係止部材３が係合装置２１に干渉する位置に位置されると(図６に示すように、すなわち、滑動係止部材３が係合装置２１に係合されず、係合装置２１に対応する位置にある場合)、案内傾斜面２１１及び弧状ガイド面３２１はニッパーが押圧された場合に自動的に滑動係止部材３を後退させ、ニッパーの作業に干渉し続けないようにする(図７参照)。
【００１９】
なお、前記滑動係止部材３の両側面には凸部３４が各々形成され、前記凸部３４は使用者が操作する際に親指で力を掛けやすい点となる。
【００２０】
従って、前述の考案内容から分かるように、本考案に係る「ニッパー係止具構造」は滑動係止部材３を有し、滑動方式により第一アーム部１及び第二アーム部２の開閉の解除或いは制限を行い、収納時に稼働端５が挟持状態を呈するため安全な防護の効果を達成させる。また、前記滑動係止部材３は把持端４の一対のニッパーの柄の枢設位置付近に設置され、人がニッパーを握る際の親指の位置に対応し、使用者が親指で滑動係止部材３を押してニッパーの使用状態の解除或いは制限を快適に行うことができる。従来のニッパーの収納部材が一般的に柄の後端に設置されるのに比べ、本考案は操作性がより高いという長所を有する。
【００２１】
以上、本考案の実施形態について図面を参照して詳述したが、具体的な構成はこの実施形態に限られるものではなく、本考案の要旨を逸脱しない範囲の設計変更等も含まれる。
【符号の説明】
【００２２】
１ 第一アーム部
１１ 固定台
１２ ガイドレール
１３ 上端嵌め込み溝
１４ 下端嵌め込み溝
２ 第二アーム部
２１ 係合装置
２１１ 案内傾斜面
３ 滑動係止部材
３１ ガイド棒
３２ 位置決め板
３２１ 弧状ガイド面
３３ 弾性係止部材
３４ 凸部
４ 把持端
５ 稼働端
【図１】
0003196259.tif 000003
【図２】
0003196259.tif 000004
【図３】
0003196259.tif 000005
【図４】
0003196259.tif 000006
【図５】
0003196259.tif 000007
【図６】
0003196259.tif 000008
【図７】
0003196259.tif 000009